(57)【要約】【課題】複数の家庭用電気機器装置を連携して制御するリモコン装置を実現することを目的とする。【解決手段】家庭用電気機器、例えば、掃除機７を制御する一つリモコン本体１の入力手段に、無線伝送などので複数の機器、例えば、テレビ１３と交信する手段を持たせ、掃除機１のモータ８の出力を高めたとき、すなわち騒音が高くなったとき、テレビ１３の音量が高くなるように同時に遠隔制御するようにして、確実にテレビ１３の視聴ができるようにしたものである。【選択図】図３
2008098897.tif 000002
【特許請求の範囲】
【請求項１】
複数の家庭用電気機器の制御を遠隔指示する入力手段と、前記入力手段により指定の電気機器を遠隔操作制御した時、他の電気機器も連動して制御する機能を有する家庭用電気機器のリモコン装置。
【請求項２】
前記入力手段は、掃除機のゴミの吸引力を作り出すモータの回転を遠隔操作する手元操作手段であり、前記手元操作手段からの信号を無線伝送し、モータの回転数に応じて前記送信機から他の家電機器のリモコン受信部に信号を伝送する請求項１記載の家庭用電気機器リモコン装置。
【請求項３】
掃除機の手元操作手段から無線伝送される他の家電手段のリモコン受信部は、テレビのリモコン受信部である請求項２記載の家庭用電気機器のリモコン装置。
【請求項４】
掃除機のモータの回転数が強に相当する回転数に設定された時、テレビの音声出力レベルを予め決められたレベル分上げ、モータの回転数が標準または弱に相当する回転数に設定された時、元のレベルに戻すように無線伝送で指示する請求項３の家庭用電気機器のリモコン装置。
【請求項５】
無線伝送の手段は特定小電力無線である請求項１から４記載の家庭用電気機器のリモコン装置。
【請求項６】
家電製品の入力手段から無線で発信された入力情報を受信し、家庭内の複数の機器に前記入力情報に対応した制御情報を発信する家庭用電気機器のリモコン装置。
【請求項７】
家電製品の入力手段から無線で発信された入力情報を受信し、予め決められた優先順位に従って家庭内の複数の機器に前記入力情報に対応した制御情報を発信する家庭用電気機器のリモコン装置。
【請求項８】
燃焼機器からの入力手段から発信された入力情報を受信した時、換気装置を作動させる請求項７の家庭用電気機器のリモコン装置。
【請求項９】
掃除機からの入力手段から発信された入力情報を受信した時、換気装置を作動させる請求項７の家庭用電気機器のリモコン装置。
【発明の詳細な説明】
【技術分野】
【０００１】
本発明は、家庭内に存在する電気機器の制御に関するもので、特に遠隔操作による複数の電気機器の連携に関するものである。
【背景技術】
【０００２】
今日、家庭用電気機器の遠隔操作装置、即ちリモコンの普及はめざましく、音響、照明、家事などのほとんどの電気機器がリモコンを備えていると言って良い状況にある。
【０００３】
従って、家庭内がリモコンであふれている状況にある。その状況を打開するためテレビとビデオ、ＤＶＤのように一体として使われる家庭電器製品の制御をひとつのリモコンで制御できるようにしたものはある。
【０００４】
図１０は従来のリモコン装置の構成を示し、電気機器１００と制御用の赤外線を用いたリモコン１０１があり、電気機器１００のリモコン受光部１０２にコントロールアダプタ１０３が設置されており、リモコン１０１からは赤外線で電気機器を制御し、かつコントロールアダプタ１０３には無線機器たとえばターミナルアダプタ１０４、ＰＨＳ親機１０５を介してＰＨＳ子機１０６からの指令が届き、屋外からの指令でも屋内機器が動作できるような構成となっている（例えば、特許文献１参照）。
【特許文献１】特開２０００-３２１５３号公報
【発明の開示】
【発明が解決しようとする課題】
【０００５】
しかしながら、上記従来のリモコン装置でも、家庭内電気機器を複数の独立した制御手段（ＰＨＰ、赤外線リモコン）で制御できるものの、その機器の使用によって影響を受ける機器側の制御を自動的におこなうリモコンは存在しなかった。
【０００６】
家庭内でリモコンの普及がこれだけ進んできた今日、個々のリモコン装置を統合して使い勝手の良い家庭用電気機器のリモコン装置を提供する必要があった。
【０００７】
本発明は、前記従来の課題を解決するもので、通信によって、家庭内の電気機器を快適で本来の機能を最高に発揮させる家庭用電気機器のリモコン装置を提供することを目的とする。
【課題を解決するための手段】
【０００８】
前記従来の課題を解決するため、本発明の家庭用電気機器のリモコン装置は、複数の家庭用電気機器の制御を遠隔指示する入力手段と、入力手段により指定の電気機器を遠隔操作制御した時、他の電気機器も連動して制御する機能を有する構成としたものである。
【０００９】
これによって、ひとつの家庭用電気機器を制御した時、影響を受けるその他の家電機器の調整を同時に行うことが可能となり、家庭内の電気機器の性能を最良の状態に保つことが可能となる。
【発明の効果】
【００１０】
本発明によれば、ひとつの家庭用電気機器を制御した時、影響を受けるその他の家電機器の調整を同時に行うことが可能となり、家庭内の電気機器の性能を最良の状態に保つことが可能となる。
【発明を実施するための最良の形態】
【００１１】
第１の発明は、複数の家庭用電気機器の制御を遠隔指示する入力手段と、入力手段により指定の電気機器を遠隔操作制御した時、他の電気機器も連動して制御する機能を有する家庭用電気機器のリモコン装置を提供するものである。
【００１２】
第２の発明は、特に第１の発明において、入力手段は、掃除機のゴミの吸引力を作り出すモータの回転を遠隔操作する手元操作手段であり、手元操作手段からの信号を無線伝送し、モータの回転数に応じて他の家庭用電気機器の設定を変更する必要がない。
【００１３】
前記送信機から他の家電機器のリモコン受信部に信号を伝送するものであり、掃除機のモータの回転数に応じてテレビの音声が変化するので掃除する人が、掃除機の騒音に応じていちいちテレビの音声レベルを変更する必要がない。
【００１４】
第３の発明は、特に第２の発明において、掃除機の手元操作手段から無線伝送される他の家電手段のリモコン受信部は、テレビのリモコン受信部にしたもので、掃除機のモータの回転数の変化による騒音の大きさによってテレビの設定が自動的に変えられるものである。
【００１５】
第４の発明は、特に第３の発明において、掃除機のモータの回転数が強に相当する回転数に設定された時、テレビの音声出力レベルを予め決められたレベル分上げ、モータの回転数が標準または弱に相当する回転数に設定された時、元のレベルに戻すように無線伝送で指示するものであり、掃除機のモータの回転数が変わって変動する騒音のレベルに応じて音量が連動して変わるために、いちいちテレビの音量を変更する手間を省くことができる。
【００１６】
第５の発明は、特に第１から第４の発明において、無線伝送の手段は特定小電力無線としたもので、十分な伝送距離と多数の機器識別が可能となるなど、家庭内の多数の機器との通信に優れた性能を発揮する。
【００１７】
第６の発明は、家電製品の入力手段から無線で発信された入力情報を受信し、家庭内の複数の機器に前記入力情報に対応した制御情報を発信するようにしたもので、家庭内の多数の機器を最適に制御することが可能となる。
【００１８】
第７の発明は、家電製品の入力手段から無線で発信された入力情報を受信し、予め決められた優先順位に従って家庭内の複数の機器に前記入力情報に対応した制御情報を発信するもので家庭内の多数の機器を最適に制御することが可能となる。
【００１９】
第８の発明は、特に第７の発明において、燃焼機器からの入力手段から発信された入力情報を受信した時、換気装置を作動させるもので、室内の換気状態を最適に保つので、安全な家庭内環境を保つ効果がある。
【００２０】
第９の発明は、特に第７の発明において、掃除機からの入力手段から発信された入力情報を受信した時、換気装置を作動させるもので、掃除に伴う飛散したほこりを速やかに屋外の排出し、室内空気質の向上に寄与するものである。
【００２１】
以下、本発明の実施の形態について、図面を参照しながら説明する。なお、この実施の形態によって本発明が限定されるものではない。
【００２２】
（実施の形態１）
図１において、リモコン本体１の入力手段であるキイ２が押されると、リモコン本体１
から電気機器３に（たとえば赤外線通信などによって）指令が発せられる。
【００２３】
一方リモコン本体１に内蔵された無線通信手段（図示せず）からアンテナ４を介して無線電送された指令は、他の電気機器５のアンテナ６で受け取られ、電気機器５の機能が設定される。
【００２４】
このように、ひとつの電気機器３の動作指令と同時に影響を受ける、あるいは関連した電気機器５が連携して動作することにより、家庭内の機器がそれ時自身の性能を最高の状態で発揮できるように設定することが可能となる。
【００２５】
図２は他の家庭用電気機器のリモコン装置を示し、掃除機７の手元スイッチとしてリモコン本体１が設置されており、リモコン本体１のアンテナ４からはごみ吸い込みの動力であるモータ８の回転数を設定する信号が本体のアンテナ９へ送られる。
【００２６】
それと同時に他の電気機器１０にもアンテナ１１を介して指令が送られ、掃除機７のモータ８と他の電気機器１０が一つのリモコン本体１で制御される。
【００２７】
掃除機７の手元スイッチとしてリモコン本体１が設置され、無線でモータ８が制御しているのは、無線ではモータ８を制御するホース１２内部に制御用の信号伝送用のケーブルを通さなくて済み、ホース１２が軽く、しなやかに作れることから、操作性の向上を狙ったものである。
【００２８】
また、掃除機の使用時に影響を受ける他の電気機器１０に対して、同時に制御を行うことによって、掃除機７の使用時の屋内環境を改善することも意図している。
【００２９】
具体的には、図３に示すように、掃除機７のリモコン本体１のアンテナ４からは、掃除機７のモータ８を制御する信号と同時に、テレビ１３のアンテナ１４に対しても指令が発せられる。
【００３０】
この構成によって、掃除機７が動作している時もテレビ１３の状態が最良に保たれるように制御することが可能となる。
【００３１】
図４はテレビの制御状態を示し、（ａ）は掃除機７のリモコン本体１の「標準／弱」キイ１５が押された時のテレビ画面の音量表示１７を、（ｂ）は掃除機７のリモコン本体１の「強」キイ１６が押された時のテレビ画面の音量表示１８を示している。「強」の運転状態では、騒音が大きく、テレビ１３の音量を大きくして聞き取りやすくし、「標準／弱」キイが押された時は音量を戻す。
【００３２】
このことによっていちいち吸引力を切り替えるたびに、テレビ１３の音量を調節する必要がないので、掃除中もストレスなしに、テレビ１３を見ることができる。
【００３３】
図５は無線伝送のイメージを示し、無線伝送は特定小電力方式の伝送方式でおこなわれ、室内の間仕切りなども障害となることが少なく伝送がおこなえ、また伝送信号に機器の認証番号（ＩＤ）を付与して伝送を行うことによって確実な制御を行う事ができる。
【００３４】
（実施の形態２）
図６は本発明の第２の実施の形態における家庭用電気機器のリモコン装置を示し、実施の形態１との違いは、屋内にリモコン本体１からの無線伝送をアンテナ１９で受信し、他の電気機器に送信する中継器２０が設置されている点にある。
【００３５】
このように中継器２０を設けることにより、リモコン本体１から直接多くの機器を制御する場合に比べて、伝送速度、制御装置の構成の容易さなどの点で有利であり、家庭内で制御する機器が多くなればなるほど中継器２０を設置する利点は大きくなる。
【００３６】
図７は具体的なものを示し、中継器２０の内部には記憶部２１が設けられており、この中に、屋内の機器の優先制御手順が記憶されている。
【００３７】
リモコン本体１からの無線信号を受信すると、アンテナ２２で受信され、この記憶部２１の手順に従って指令信号が無線で対応する各機器に発信される。この結果、屋内の電気機器が最善の状態で使用されるべく設定される。
【００３８】
図８はさらに他の具体例を示し、燃焼装置である強制循環式石油温風器２３をオンするキイ２４が押されると強制循環式石油温風器２３の燃焼が始まる。
【００３９】
同時に中継器２０に送信された情報と記憶部２１の内容から換気扇２５をオンするように中継器２０からアンテナ２２と２６を介して送信される。
【００４０】
このように、燃焼機器の動作時に連携して十分な換気を行う事により、生活の安全性と健康に大いに貢献できる。
【００４１】
図９はさらに他の具体例を示し、掃除機７の高吸引力動作を指示するする「強」キイ１６が押されると掃除機７の動作が始まる。
【００４２】
同時に中継器２０に送信された情報と記憶部２１の内容から換気扇２５をオンするように中継器２０からアンテナ２２と２６を介して送信される。このように、屋内にほこりが舞う掃除機７の動作時に連携して十分な換気を行う事により、健康に大いに貢献できる。
【産業上の利用可能性】
【００４３】
以上のように、本発明にかかる家庭電気機器のリモコン装置は、一つのリモコン装置の操作によって、他の関連する機器の動作を連携して設定することが可能なので、家庭内だけでなく、工場、事業場などの電気機器の制御などにも利用可能である。
【図面の簡単な説明】
【００４４】
【図１】本発明の第１の実施の形態における家庭用電気機器のリモコン装置の構成図
【図２】本発明の第１の実施の形態における他の家庭用電気機器のリモコン装置の構成図
【図３】本発明の第１の実施の形態におけるさらに他の家庭用電気機器のリモコン装置の構成図
【図４】（ａ）掃除機のリモコン本体の「標準／弱」キイが押された時のテレビ画面の音量表示を示す説明図、（ｂ）「強」キイが押された時のテレビ画面の音量表示１８を示す説明図
【図５】本発明の第１の実施の形態におけるの無線伝送のイメージ図
【図６】本発明の第２の実施の形態における家庭用電気機器のリモコン装置の構成図
【図７】本発明の第２の実施の形態における他の家庭用電気機器のリモコン装置の構成図
【図８】本発明の第２の実施の形態におけるさらに他の家庭用電気機器のリモコン装置の構成図
【図９】本発明の第２の実施の形態におけるさらに家庭用電気機器のリモコン装置の構成図
【図１０】従来の家庭用電気機器のリモコンの構成図
【符号の説明】
【００４５】
１  リモコン本体
２  入力手段（キイ）
３，５  電気機器
４，６，９，１１，１４，１９，２２，２６  アンテナ
７  掃除機
１３  テレビ
１７，１８  音量表示
２０  中継器
【図２】
2008098897.tif 000003
【図３】
2008098897.tif 000004
【図１】
2008098897.tif 000005
【図４】
2008098897.tif 000006
【図５】
2008098897.tif 000007
【図６】
2008098897.tif 000008
【図７】
2008098897.tif 000009
【図８】
2008098897.tif 000010
【図９】
2008098897.tif 000011
【図１０】
2008098897.tif 000012